(57)【要約】変化するロール曲率半径及び変化するバルジ曲率半径を持つ打球プレート（３０）を有するゴルフクラブヘッド（２０）が開示される。打球プレート（３０）は、中心から外れたショットを補正する必要のある、全体としてゴルフクラブヘッド（２０）の前面のヒールエンド（３２）からトオエンド（３４）に向けて伸長する大きい表面積を持つのが好ましい。打球プレート（３０）はフェアウェイタイプのゴルフクラブヘッド又はドライバータイプのゴルフクラブヘッドに使用することができる。打球プレート（３０）は好ましくはスチール又はチタンからなる。
2004501688.tif 000002
【特許請求の範囲】
【請求項１】
クラウンと、ソールと、ヒールエンドと、トオエンドを持つボディと；
垂直中央区域に沿う第１のロール半径及び上部トオ象限又は下部ヒール象限に沿う第２のロール半径を持つ打撃プレートを有するゴルフクラブヘッド。
【請求項２】
打撃プレートの他の上部トオ象限又は下部ヒール領域に沿う第３のロール半径を有する請求項１に記載のゴルフクラブヘッド。
【請求項３】
第１のロール半径は約１１．０インチであり、第２のロール半径は約９．３インチである請求項１に記載のゴルフクラブヘッド。
【請求項４】
第１のロール半径は約１１．０インチであり、第２のロール半径は約９．３インチであり、第３のロール半径は約８．１インチである請求項２記載のゴルフクラブヘッド。
【請求項５】
打撃プレートは、更に、水平中央区域に沿う第１のバルジ半径と上部トオ象限又は下部ヒール象限に沿う第２のバルジ半径とを有する請求項１に記載のゴルフクラブヘッド。
【請求項６】
他の上部トオ象限又は下部ヒール象限に沿う第３のバルジ半径を更に有する請求項５に記載のゴルフクラブヘッド。
【請求項７】
第１のバルジ半径は約１０．５０インチであり、第２のバジル半径は約１０．１５インチである請求項５に記載のゴルフクラブヘッド。
【請求項８】
第１のバルジ半径は約１０．５０インチであり、第２のバジル半径は約１０．１５インチであり、第３のバルジ半径は約９．９６インチである請求項６に記載のゴルフクラブヘッド。
【請求項９】
打撃プレートは、更に、中央領域、境界領域、第１の周辺領域を有し、前記中央領域は第１の厚さとコアフェース外部面積の５％〜１５％を占め、前記境界領域は前記中央領域を取り囲み、コアフェース外部面積の３５％〜５０％を占め、第１の周辺領域は前記境界領域を取り囲み、コアフェース外部面積の４０％〜５５％を占め、前記第１の周辺領域は前記第１の厚さより小さい厚さを持ち、前記境界領域は前記第１の厚さから第２の厚さに移行する厚さを有する請求項１に記載のゴルフクラブヘッド。
【請求項１０】
中央領域は０．１２０インチ〜０．１４５インチの範囲の厚さを有する請求項９に記載のゴルフクラブヘッド。
【請求項１１】
打球プレートは、チタン、チタン合金、スチール、ガラス体金属、セラミック、複合材料、カーボン材料、カーボンファイバー材料、他の繊維材料及びそれらの混合材の群から選択される材料からなる請求項１に記載のゴルフクラブヘッド。
【請求項１２】
中央領域はコアフェース面積の約８．８％を占め、境界領域はコアフェース面積の４２．２％を占め、第１の周辺領域はコアフェース面積の５０％を占める請求項９に記載のゴルフクラブヘッド。
【請求項１３】
第１の周辺領域は０．１１０インチ〜０．０７５インチの範囲の厚さを有する請求項９に記載のゴルフクラブヘッド。
【請求項１４】
前記第１の周辺領域を取り囲み、０．０４５インチ〜０．０８０インチの範囲の厚さを持つ第２の周辺領域を更に有する請求項９に記載のゴルフクラブヘッド。
【請求項１５】
打撃プレートのコアフェース面積は４．８０平方インチ〜５．２０平方インチの範囲にある請求項１に記載のゴルフクラブヘッド。
【請求項１６】
ボディは中空内部を有する請求項１に記載のゴルフクラブヘッド。
【請求項１７】
ボディは３００立方センチメンターより大きい体積と２００グラム未満の重量を持つ請求項１に記載のゴルフクラブヘッド。
【請求項１８】
打撃プレートは毎時１００マイルの速度におけるボールとのインパクトの２０００回に耐えうる耐久性を持つ請求項１に記載のゴルフクラブヘッド。
【請求項１９】
クラウンと、ソールと、ヒールエンドと、トオエンドを持つボディと；
垂直中央区域に沿う第１のバルジ半径及び上部トオ象限又は下部ヒール象限に沿う第２のバルジ半径を持つ打撃プレートを有するゴルフクラブヘッド。
【請求項２０】
打撃プレートの他の上部トオ象限又は下部ヒール象限に沿う第３のバルジ半径を更に有する請求項１９に記載のゴルフクラブヘッド。
【請求項２１】
第１のバルジ半径は約１０．５０インチで、第２のバルジ半径は約１０．１５インチである請求項１９に記載のゴルフクラブヘッド。
【請求項２２】
第１のバルジ半径は約１０．５０インチで、第２のバルジ半径は約１０．１５インチで、第３のバルジ半径が約９．９６インチである請求項２０に記載のゴルフクラブヘッド。
【請求項２３】
打球プレートは、更に、中央領域、境界領域、第１の周辺領域を有し、前記中央領域は第１の厚さとコアフェース外部面積の５％〜１５％を占め、前記境界領域は前記中央領域を取り囲み、コアフェース外部面積の３５％〜５０％を占め、第１の周辺領域は前記境界領域を取り囲み、コアフェース外部面積の４０％〜５５％を占め、前記第１の周辺領域は前記第１の厚さより小さい厚さを持ち、前記境界領域は前記第１の厚さから第２の厚さに移行する厚さを有する請求項２０に記載のゴルフクラブヘッド。
【請求項２４】
中央区域は０．１２０インチ〜０．１４５インチの範囲の厚さを持つ請求項２３に記載のゴルフクラブヘッド。
【請求項２５】
打球プレートは、チタン、チタン合金、スチール、ガラス体金属、セラミック、複合材料、カーボン材料、カーボンファイバー材料、他の繊維材料及びそれらの混合材の群から選択される材料からなる請求項１９に記載のゴルフクラブヘッド。
【請求項２６】
第１の周辺領域は０．１１０インチ〜０．０７５インチの範囲の厚さを持つ請求項２３に記載のゴルフクラブヘッド。
【請求項２７】
打球プレートのコアフェース面積は４．８０平方インチ〜５．２０平方インチである請求項１９に記載のゴルフクラブヘッド。
【請求項２８】
ボディは３００立方センチメートルより大きい体積と２００グラム未満の重量を持つ請求項１９に記載のゴルフクラブヘッド。
【請求項２９】
打球プレートの垂直中央区域に沿う第１のロール半径と、　打球プレートの上部トオ象限に沿う第２のロール半径と、
打球プレートの下部ヒール象限に沿う第３のロール半径と、
打球プレートの水平中央区域に沿う第１のバルジ半径と、
打球プレーとの上部トオ象限に沿う第２のバルジ半径と、
打球プレートの下部ヒール象限に沿う第３のバルジ半径とを有するゴルフクラブヘッドの打球プレート。
【請求項３０】
第１、第２及び第３のロール半径は、夫々、垂直中央区域と、上部トオ象限と下部ヒール象限の一部のみに沿っており、第１、第２及び第３のバルジ半径は、夫々、水平中央区域と、上部トオ象限と、下部ヒール象限の一部にのみ沿っている請求項２９に記載の打撃プレート。
【請求項３１】
第１のロール半径は約１１．０インチで、第２のロール半径は約９．３インチで、第３のロール半径は約８．１インチ、第１のバルジ半径は約１０．５０インチ、第２のバルジ半径は１０．１５インチ、第３のバルジ半径は約９．９６インチである請求項２９に記載のゴルフクラブ。
【発明の詳細な説明】
【０００１】
技術分野
本発明は、ゴルフクラブの打球プレートに関する。より特定すると、本発明は、可変バルジ及びロールを持つゴルフボール打球プレートに関する。
背景技術
ゴルフボールのフックとスライスを抑制するために、ゴルフクラブ製造者は水平面で凸状の曲率を持ち（バルジ）、垂直面で凸状の曲率半径を持つ（ロール）フェースを持つクラブを製造してきた。このバルジ半径はフックとスライスを減少する傾向を少なくし、一方、ロール半径はバルジ半径に対してスピンを減らして距離の損失を少なくする。代表的には、フェースは１つのバルジ曲率半径を持ち、一つのロール曲率半径を持つ。
【０００２】
現在においては、深い、即ちより円形に近いフェースを持ち大きい体積（３００ｃｍ３を超える）の高い性能のゴルフクラブがゴルフクラブ製造業者により導入されている。この高性能の大容量のゴルフクラブヘッドは一般的に代表的なゴルファーにとって、より大きいティショットを与えている。しかしながら、この大きなフェースの表面領域は従来のゴルフクラブよりフックやスライスとなる中心を外れたショットにつながりやすい。したがって、現在の高い性能の大容量のゴルフクラブヘッドはより大きな距離を与えるが、カリフォルニア、カールスバーグのキャラウェイゴルフカンパニーから出ているＢＩＧＧＥＳＴ ＢＩＧ ＢＥＲＴＨＡ（登録商標）のような以前のゴルフクラブヘッドより有難さが多くない。
【０００３】
多くのパーシモンウッドは、ゴルフクラブヘッドの外見を改善するために、上部トオ側の象限（四分円）と下部ヒール側の象限の丸みを除いている。
【０００４】
この丸みの除去はフェースのバルジ曲率半径とロール曲率半径に影響を与える。このような例としてＣＡＬＬＡＷＡＹ（登録商標）ＣＬＡＳＳＩＣ ＳＥＲＩＥＳ があり、これはキャラウェイ  ゴルフ  カンパニイにより８０年代において販売されたものである。原出願が仏国において１９９２年に出願されたビンセント（Ｖｉｎｃｅｎｔ）の米国特許第５，４１５，４０５号、「ゴルフクラブヘッドの打球面」は少なくとも異なる半径の３つのバルジ曲率半径を隣接する仮想のバルジラインに沿って持っている。
【０００５】
１９９１年に出願された日本の出願公開された第０５１７７０１８号、「ゴルフクラブヘッド」は、フェースの中心における曲率より大きな曲率を持つ凸状に湾曲したフェースを開示している。
【０００６】
１９８６年に出願されたＫｉｎｎｅｙ の米国特許第４，７２５，０６２号、「ウッドタイプゴルフクラブヘッド」は単一の垂直ロールと単一の水平バジルを持つ丸いフェースを持つゴルフクラブヘッドを開示している。
【０００７】
１９９８年に米国において２０３５６３号として原出願されたヨーロッパ特許出願第１００５８８２号は少なくとも二つのバルジ曲率半径を持つフェースを持つゴルフクラブヘッドを開示している。
【０００８】
Ｓｃｈｍｉｄｔ の米国特許第４，３６７，８７８号、「ゴルフクラブヘッド」はパラボラ形状のフェースを持つゴルフクラブヘッドを開示している。
【０００９】
１９６９年に出願されたＳｏｌｈｅｉｍ の米国特許第３，６２５，５１８号、「複合曲線を持つソール及び／又は打球フェースを持つゴルフクラブヘッド」は打球フェースの楕円スウィートスポットに対して複合バルジ曲面と複合ロール曲面を持つウッドのゴルフクラブを開示している。
【００１０】
１９９５年に出願されたＭｉｋａｍｅ 他の米国特許第５，６８１，２２８号、「ゴルフクラブヘッド」は、ゴルフクラブヘッドの重心深さに両方が関連する１つのバルジ曲面と１つのロール曲面を持つ。
【００１１】
１９８３年に出願されたＧｅｂａｕｅｒ の米国特許出願４，５０８，３４９号はクラブヘッドのヒールに向けて増加し、クラブヘッドのトオに向けて減少するバルジ曲率半径を持つゴルフクラブヘッドを開示している。
【００１２】
先行技術は変化するバルジ及びロール曲面を持つフェースを持つゴルフクラブヘッドを開示しているが、この先行技術は大きいサイズで高容積のゴルフクラブヘッドのための特別の変化するバルジ及びロール曲面を与えることに成功していない。
【００１３】
発明の開示
本発明は、変化するロール曲率半径と変化するバルジ曲率半径を持ち中心を外れたショットを補正することのできる高性能で大体積のゴルフクラブヘッドに向けられている。更に、打撃プレートはゴルフボールとのインパクトの間、より優れた追従性を与えるために厚さの変化する領域を有している。
【００１４】
本発明の１つの態様は、クラウン、ソール、ヒールエンド、トオエンド及び打撃プレートを持つボディを有するゴルフクラブヘッドである。打撃プレートは中心領域の垂直方向に沿って第１のロール半径を持ち、上部トオ象限（四分円）又は下部ヒール象限に沿う第２の半径をロール半径を持つ。打撃プレートは他の上部トオ象限又は下部ヒール象限にロール半径を持つようにしてもよい。
【００１５】
本発明の他の態様は、クラウン、ソール、ヒールエンド、トオエンド、及び打撃プレートを持つボディを含むゴルフクラブヘッドである。打撃プレートは、垂直中央領域に沿った第１のバルジ半径と上部トオ象限又は下部ヒール象限に沿う第２のバルジ半径を持つ。打撃プレートは、他の上部トオ象限又は下部ヒール象限に沿う第３のバルジ半径を持つようにしてもよい。
【００１６】
更に、本発明の他の態様は、ゴルフクラブヘッドの打撃プレートである。打撃プレートは、打撃プレートの垂直方向中央領域に沿う第１のロール半径と、打撃プレートの上部トオ象限に沿う第２のロール半径と打撃プレートの下部ヒール象限に第３のロール半径と、打撃領域の水平中央領域に沿う第１バルジ半径と、打撃プレートの上部トオ象限に沿う第２のバルジ半径と、打撃プレート下部ヒール象限に沿う第３のバルジ半径を持つ。
【００１７】
本発明の最良の実施モード
図１−８に示されるように、ゴルフクラブヘッドは全体として２０で示される。ゴルフクラブヘッド２０はクラウン２４、ソール２６、リボン２８及び打撃プレート３０を持つボディ２２を有する。打撃プレート３０は全体として、ゴルフクラブヘッド２０の前部のヒールエンド３２からトオエンドに延びている。打撃プレート３０は独特の変化するバルジと変化するロールを持っている。変化するバルジと変化するロールは以下に詳細に説明される。本体２２は好ましくは開口３８を通して図示されないシャフトの先端を受け入れる内部ホーゼル３６を持つ。ゴルフクラブヘッドは好ましくはチタニウム、チタニウム合金、ステンレススチールのような金属材料、最も好ましくは鍛造チタニウム材料からなるボディ２２を持つ。
【００１８】
ボディ２２は好ましくは大きい体積で、より好ましくは３００ｃｍ３より大きく、最も好ましくは３５０ｃｍ３である。このボディ２２は好ましくは２１５グラム未満の重さを持ち、最も好ましくは、１８０グラムと２０５グラムの間である。ボディ２２は中空内部を持つ。
【００１９】
打撃プレート３０は線４１，４３，４５及び４７により画成される複数の領域４０，４２，４４、及び４６に区画され、各々は異なる厚さ又は異なる厚さの範囲を持つ。打撃プレートの外面５３はゴルフボールとインパクトするために実質的にスムースで、打撃プレートの内面５５は厚さが変化して非平坦な表面を形成し以下にさらに詳細に説明するようにインパクトの確率に従って曲面状とされている。打撃プレートは単一構造をなし、ボディ２２と同じ材料か又は別の材料とされる。打撃プレート３０に関連して単一の用語は打撃プレートは単一片でリブや付加的重りのような内面を持たない打撃プレートを意味する。点線４１で示され、ベース厚みを持つた中央領域４０は領域４０，４２，４４，４６のうちで最も厚いことが好ましい。ベース厚みは０．２６０インチ〜０．０６０インチの範囲で、好ましくは０．１５０インチ〜０．０７５インチ、最も好ましくは０．１４５インチ〜０．０９０インチの範囲である。境界領域４２は中央領域４０の厚みと第１の周辺領域４４の間の厚みの範囲を持ち、好ましくは、０．１５０インチ〜０．０９０インチの範囲で、最も好ましくは０．１４０インチ〜０．０８０インチの範囲である。第１の周辺領域４４は０．１１０インチ〜０．０４０インチの範囲の厚さを持ち、好ましくは０．１０５インチ〜０．０５０インチ、最も好ましくは０．１００インチ〜０．０７５インチの範囲である。
【００２０】
第２の周辺領域４６は好ましくは打球プレートの領域４０，４２，４４及び４６のうちで最も薄い。第２の周辺領域４６は０．０８５インチ〜０．０１０インチの範囲の厚さ、好ましくは０．０８０インチ〜０．０４５インチの範囲、最も好ましくは０．０７５インチ〜０．０５０インチの範囲である。
【００２１】
好ましい実施例においては、図１Ａに示されるように、中央領域は０．１４５インチ〜０．０９０インチの範囲の厚さで、境界領域４２は０．１４０インチ〜０．０８０インチの範囲、第１の周辺領域４４は０．１０５インチ〜０．０５０インチの範囲、第２の周辺領域４６は０．０７５インチ〜０．０５０インチの範囲の厚さを持っている。
【００２２】
好ましくは、図１Ａに示されるように、中央領域４０は打球プレート３０のコアフェース４９の面積の５％〜１５％である。コアフェース４９は中央領域４０、境界領域４２及び第１周辺領域４４として定義される。この打球プレート３０のコアフェース領域は４，８０平方インチ〜５．５０平方インチの範囲の面積を持ち、好ましくは、５．１０平方インチ〜５．４０平方インチ、最も好ましくは５．３８平方インチである。境界領域４２は好ましくはコアフェース４９の面積の３５％〜５０％で、第１の周辺領域４４は好ましくはコアフェース面積の４０〜５５％である。好ましい実施例においては、中央領域はコアフェース４９の面積の８．８％で、境界領域はコアフェース４９の面積の４２．２％、第１の周辺領域４４はコアフェース４９の面積の５０％である。
【００２３】
図６−８Ａは、本発明の打球プレートの変化するバルジ及びロールを示している。変化するバルジ及びロールをより良く説明するために、打球プレート３０は４つの象限、上部ヒール象限５６、下部ヒール象限５７、上部トオ象限５８、及び下部トオ象限５９に区画される。打球プレート３０は略、打球プレート３０の垂直中央区域に沿って存在する第１のロール曲率半径６０を持つ。打球プレート３０は上部トオ領域５８に存在する第２のロール曲率半径６１を持つ。第１のローッル曲率半径６０の曲率半径は第２のロール曲率半径６１とは異なる。打球プレートは下部ヒール象限５７に第３のロール曲率半径を持つ。第１のロール曲率半径６０の曲率半径は第３のロール曲率半径６２と異なる。好ましい実施例においては、第２の曲率半径６１は第３の曲率半径６２とは異なるが、他の実施例では両者は等しい。
【００２４】
打球プレート３０は、また、打球プレート３０の略水平中央区域に沿って存在する第１のバルジ曲率半径６３を持つ。打球プレート３０は上部トオ象限５８に存在する第２のバルジ曲率半径６４を持つ。打球プレート３０は下部ヒール象限５７に存在する第３のバルジ曲率半径６５を持つ。第１のバルジ曲率半径６３の曲率半径は第３のバルジ曲率半径６５とは異なる。好ましい実施例では、第２のバルジ曲率半径６４と第３のバルジ曲率半径６５とは異なり、他の実施例では同じである。
【００２５】
図６Ｂに示されるように、第３のロール曲率半径６２は下部ヒール象限５７の一部に沿って存在し、垂直線に沿って上に連続し、その曲率半径は第１のロール曲率半径６０に移行する。図６Ｃに示されるように、第２のロール曲率半径６１は上部トオ象限５８の一部に沿って存在し、垂直方向に下がり、この曲率半径は第１のロール曲率半径６０に移行する。
【００２６】
図７Ａに示されるように、打球プレート３０の水平中央点は一定の第１のバルジ曲率半径６３をヒールからトオに向けて持っている。図７Ｂに示されるように、第３のバルジ曲率半径６５は下部ヒール象限５７の一部に沿って存在し、水平方向にトオエンド３４に向けて連続し、この曲率半径は第１のバルジ曲率半径６３に移行している。図７Ｃに示されるように、第２のバルジ曲率半径６４は上部トオ象限５８の一部に沿って存在し、水平方向にヒールエンド３２の方向に続き、この曲率半径は第１のバルジ曲率半径６０へ移行する。
【００２７】
他の実施例では、Ｔ点において、第１のバルジ曲率半径６３は下部ヒール象限５７及び上部トオ象限５８において複数の曲率半径に移行する。したがって、一つのバルジ曲率半径６４と６５の代わりに、複数のバルジ曲率半径を持つ。打球プレートは同様にロール曲率半径を持つ。
【００２８】
好ましくは第１のロール曲率半径６０は約１１．００インチで、第２のロール曲率半径６１は約９．３５３インチ、第３のロール曲率半径６２は８．０７１インチである。好ましくは、第１のバルジ曲率半径６３は約１０．５０インチ、第２のバルジ曲率半径６４は約１０．１５インチ、第３のバルジ曲率半径６５は約９．９６３インチである。しかしながら、当業者であれば本発明の範囲と内容を離れない範囲において他の曲率半径が使用できることは理解できるであろう。
【００２９】
表１は、ドライバー（ロフト７°から１２°）とフェアウェイウッド（２番ウッドから９番ウッド）の好ましい実施例の中央領域４０、第１の周辺領域４４及び第２の周辺領域４６の厚みを規定するものである。
【００３０】
【表１】
2004501688.tif 000003
図１Ｂのから得られる打撃プレート３０の断面は図９−１６に示される。図９は、打撃プレート３０のスコアラインにもかかわらず比較的スムースな外側面と反対の打撃プレート３０の曲面状の内側面５５上の中央垂直区域の中央領域４０、境界領域４２、第１の周辺領域４４及び第２の周辺領域４６の断面を示している。図１０及び１１は中央区域の隣接する両サイドの垂直断面を示し、境界領域４２と第１の周辺領域４４と第２の周辺領域４６のみを含む。図１２は、好ましい実施例における一体化した内部ホーゼル３６の壁を持つ打撃プレート３０のヒールエンド３２における垂直断面を示す。図１２は他に第１の周辺領域４４及び第２の周辺領域４６を示している。内部ホーゼル３６の壁は打撃プレート３０と一体的に示されているが、他の実施例では打撃プレート３０の内側表面からずれた内部ホーゼルを持つ。図１３は打撃プレート３０のトオエンド３４の垂直断面を示し、第１の周辺領域４４と第２周辺領域４６のみを含んでいる。
【００３１】
図１４打撃プレート３０の水平中央区域の水平断面を示す図で、中央領域４０、境界領域４２、第１の周辺領域４４、第２の周辺領域４６、及び内部ホーゼル３６の壁を示している。図１５は、打撃プレート３０の水平中央区域の下の水平断面を示し、境界領域４２、第１の周辺領域４４，第２の周辺領域４６、及び内部ホーゼル３６の壁のみを含む。図１６は、打撃プレート３０の水平中央区域のさらに下の水平断面を示し、第１の周辺領域４４、第２の周辺領域４６、及び内部ホーゼル３６のみを含む。
【００３２】
厚みが変化する１つの好ましい実施例とともに打撃プレートについて説明したが、本発明の範囲と精神から離れない範囲で他の厚みの変化パターンが使用できる。このような厚みの変化のパターンは、ここに参照として組み込まれる米国特許第５，８３０，０８４、５，９７１，８６８及び６、００７、４３２号に記載されている。
【００３３】
打撃プレート３０はその上に各特定のスコアラインにおける各領域４０，４２及び４６の厚みに影響を与える複数のスコアラインを有している。
【００３４】
スコアライン７５のより詳細な説明は、ここに全体が参照として組み入れられている、継続中の１９９９年１１月１日に出願された、「ゴルフクラブフェースの湾曲状スコアライン」のタイトルの米国特許出願０９／４３１，５１８号に詳細に説明されている。
【００３５】
打撃プレート３０の厚みの変化は、また、最も厚い領域４０、４２、４４及び４６を打撃プレート３０の中心領域４０に分布させることを可能とし、これにより、打撃プレート３０にフレキシビリティを与え、ゴルフボールとのインパクトの間打撃プレート３０の順応性を高めてエネルギー損失を減らし距離を増大させる。打撃プレート３０の変化するロール曲率半径と打撃プレート３０の変化するバルジ曲率半径は中心を外れたショットを補正することを可能にする。打撃プレート３０の大きい表面積は、打撃プレート３０の変化するロール曲率半径と変化するバルジ曲率半径３０を、距離を増しつつフック及びスライスを阻止するようにする必要がある。
【００３６】
打撃プレート３０は好ましくはステンレススチールから造られる。これに替えて、打撃プレート３０はチタン、チタン合金材料からも造ることができる。更に、他の実施例では、打撃プレート３０は鉄−ボロン、ニッケル−銅、ニッケル−窒化物、等のガラス体金属で造ることもできる。さらに、打撃プレート３０をセラミック、合成材料や他の金属で造られる。
【図面の簡単な説明】
【図１】本発明の打撃プレートを持つゴルフクラブヘッドの正面図である。
【図１Ａ】変化するフェースの厚みを重複させ、スコアラインを除いた図１のゴルフクラブヘッドの正面図である。
【図１Ｂ】変化するフェース厚さのパターンを上に重複させた図１のゴルフクラブヘッドの正面図である。
【図２】図１のゴルフクラブヘッドのトオサイド視図である。
【図３】図１のゴルフクラブヘッドの底面視図である。
【図４】図１のゴルフクラブヘッドの上面視図である。
【図５】図１のゴルフクラブヘッドのヒールサイド視図である。
【図６】本発明の打撃プレートを持つゴルフクラブヘッドの正面図である。
【図６Ａ】図６のＡ−Ａ線断面図である。
【図６Ｂ】図６のＢ−Ｂ線断面図である。
【図６Ｃ】図６のＣ−Ｃ線断面図である。
【図７】本発明の打撃プレートを持つゴルフクラブヘッドの正面図である。
【図７Ａ】図７のＡ−Ａ線断面図である。
【図７Ｂ】図７のＢ−Ｂ線断面図である。
【図７Ｃ】図７のＣ−Ｃ線断面図である。
【図８】本発明の打撃プレートを持つゴルフクラブヘッドの正面図である。
【図８Ａ】図８のゴルフクラブヘッドの平面図である。
【図９】図１Ｂの９−９線断面図である。
【図１０】図１Ｂの１０−１０線の断面図である。
【図１１】図１Ｂの１１−１１線の断面図である。
【図１２】図１Ｂの１２−１２線の断面図である。
【図１３】図１Ｂの１３−１３線の断面図である。
【図１４】図１Ｂの１４−１４線の断面図である。
【図１５】図１Ｂの１５−１５線の断面図である。
【図１６】図１Ｂの１６−１６線の断面図である。
【国際公開パンフレット】
2004501688.tif 000004
2004501688.tif 000005
2004501688.tif 000006
2004501688.tif 000007
2004501688.tif 000008
2004501688.tif 000009
2004501688.tif 000010
2004501688.tif 000011
2004501688.tif 000012
2004501688.tif 000013
2004501688.tif 000014
2004501688.tif 000015
2004501688.tif 000016
2004501688.tif 000017
2004501688.tif 000018
2004501688.tif 000019
2004501688.tif 000020
2004501688.tif 000021
2004501688.tif 000022
2004501688.tif 000023
2004501688.tif 000024
2004501688.tif 000025
2004501688.tif 000026
2004501688.tif 000027
2004501688.tif 000028
2004501688.tif 000029
2004501688.tif 000030
2004501688.tif 000031
2004501688.tif 000032
2004501688.tif 000033
2004501688.tif 000034
【国際公開パンフレット（コレクトバージョン）】
2004501688.tif 000035
2004501688.tif 000036
【国際調査報告】
2004501688.tif 000037
2004501688.tif 000038